(57)【特許請求の範囲】
【請求項１】
軸上に設けられた一対のフランジの外面の周方向にそれぞれ外方に突出する複数のくさび状の歯を有し、さらに、両フランジの周面に複数のカムがそれぞれ設けられた従動部と、
該従動部の一方の軸を軸支する第１軸受部と、
従動部の一方の軸に回動可能に設けられ、従動部の一方のフランジ側に対向する面はそのフランジに設けられたくさび状の歯が転写されたような形状を呈しており、周面に結束された紐が引っ張られたときその方向に回転して従動部に同一方向の回転を与える原動側リング部と、
該原動側リング部と第１軸受部との間に設けられ、原動側リング部が前記方向に回転したときに弾性を増す弾性部材と、
従動部の他方の軸を軸支し、従動部の他方のフランジ側に対向する面はそのフランジに設けられたくさび状の歯が転写されたような形状を呈しており、従動部に前記方向の回転のみ許容する第２軸受部と、
従動部の前記方向の回転によりカムが交互に当接すると中央部を支点としてシーソ状に動作し、対向するタンブラスイッチを切り換えるスイッチ切換部とを備え、
前記原動側リング部は、引っ張られた紐が放されたとき弾性部材の弾性により逆方向に回転して所定位置で停止し、前記従動部は、原動側リング部が逆方向に回転したとき前記第２軸受部のくさび状の歯によってその方向の回転が規制されることを特徴とするスイッチ操作器。
【請求項２】
請求項１記載の従動部、第１軸受部、原動側リング部、弾性部材及び第２軸受部を備え、
前記従動部は、前記原動側リング部によって回転したとき、前記カムで直接にタンブラスイッチを切り換えることを特徴とするスイッチ操作器。
【発明の詳細な説明】
【０００１】
【発明の属する技術分野】
本発明は、壁面に設置されたタンブラスイッチのオン／オフ操作に係わり、さらに詳しくは、タンブラスイッチに手が届かない幼児向けスイッチ操作器に関するものである。
【０００２】
【従来の技術】
この種の操作器は、例えば特開昭５５−８９２２９号公報、特開平６−２２３６７８号公報、特開平９−３０６２８９号公報等に開示されている。これら公報に開示されている先行技術は、２本の紐を備えた操作器をタンブラスイッチを覆うようにして化粧板に取り付け、一方の紐を引いたときはタンブラスイッチを押圧してオンし、他方の紐を引いたときはそのスイッチを復帰させてオフするようになっている。
【０００３】
【発明が解決しようとする課題】
前述した従来のスイッチ操作器では、紐が２本であるため、何れの紐がオン用であるか、またオフ用であるかが不明瞭であった。幼児の場合、選んだ紐で例えば部屋の蛍光ランプが点灯しなかったときは、もう一方の紐を選択することなくその紐を強引に引くことがあり、この状態が何度か繰り返し行われた場合には器具の破損に直結することがあった。
また、先端の操作片がスイッチに粘着した棒状のものを捻ってスイッチを切り換える操作器があるが、その捻る操作は幼児にとっては容易に行えるものでなく、しかも、どちらの方向に捻ってよいものか分からない場合があった。
【０００４】
本発明は、かかる課題を解決するためになされたもので、１本の紐を単に引くだけでスイッチのオン／オフを容易に操作できるスイッチ操作器を提供することを目的とする。
【０００５】
【課題を解決するための手段】
本発明の請求項１に係るスイッチ操作器は、軸上に設けられた一対のフランジの外面の周方向にそれぞれ外方に突出する複数のくさび状の歯を有し、さらに、両フランジの周面に複数のカムがそれぞれ設けられた従動部と、該従動部の一方の軸を軸支する第１軸受部と、従動部の一方の軸に回動可能に設けられ、従動部の一方のフランジ側に対向する面はそのフランジに設けられたくさび状の歯が転写されたような形状を呈しており、周面に結束された紐が引っ張られたときその方向に回転して従動部に同一方向の回転を与える原動側リング部と、該原動側リング部と第１軸受部との間に設けられ、原動側リング部が前記方向に回転したときに弾性を増す弾性部材と、従動部の他方の軸を軸支し、従動部の他方のフランジ側に対向する面はそのフランジに設けられたくさび状の歯が転写されたような形状を呈しており、従動部に前記方向の回転のみ許容する第２軸受部と、従動部の前記方向の回転によりカムが交互に当接すると中央部を支点としてシーソ状に動作し、対向するタンブラスイッチを切り換えるスイッチ切換部とを備え、前記原動側リング部は、引っ張られた紐が放されたとき弾性部材の弾性により逆方向に回転して所定位置で停止し、前記従動部は、原動側リング部が逆方向に回転したとき前記第２軸受部のくさび状の歯によってその方向の回転が規制されるようにしたものである。
【０００６】
本発明の請求項２に係るスイッチ操作器は、請求項１記載の従動部、第１軸受部、原動側リング部、弾性部材及び第２軸受部を備え、従動部は、原動側リング部によって回転したとき、前記カムで直接にタンブラスイッチを切り換えるようにしたものである。
【０００７】
【発明の実施の形態】
図１は本発明の実施形態に係るスイッチ操作器の下面の筐体のみを切断して示す内部構成図、図２は図１に示すスイッチ操作器のＡ−Ａ断面図、図３は従動部の詳細図、図４は原動側リング部の詳細図、図５及び図６は軸受部の詳細図である。
本実施形態に係るスイッチ操作器１０は、例えば中央部がボビン状に形成された従動部２０、従動部２０に回転力を付与する原動側リング部３０、従動部２０のボビンの一方のフランジ２１に設けられた軸２３を軸支する軸受部４０（第１軸受部）、原動側リング部３０と軸受部４０との間に設けられたばね５０、従動部２０のボビンの他方のフランジ２２に設けられた軸２４を軸支する軸受部６０（第２軸受部）、従動部２０の回転に伴ってシーソ状に動作するスイッチ切換部７０等で構成されている。このスイッチ操作器１０は、例えば下部筐体１２の底面に粘着された両面テープ（図示せず）により、室内の壁のタンブラスイッチ９０の化粧板９１に固着される。
【０００８】
前述したボビン状の従動部２０は、図３に示すように各フランジ２１，２２の外面にそれぞれ軸２３，２４が設けられていると共に、その外面の周方向にそれぞれ軸方向に突出して形成された例えば４個のくさび状の歯２５，２６を有し、また、各フランジ２１，２２の周面にそれぞれ一対づつのカム２７，２８が設けられている。フランジ２１側の一対のカム２７とフランジ２２側の一対のカム２８は相互に９０度づつずれている。
【０００９】
原動側リング部３０は、図４に示すように中心部に従動部２０の軸２３が貫通する貫通孔３２を有し、従動部２０のフランジ２１側に対向する面には従動部２０の各歯２５が転写されたような形状、即ち、４個のくさび状の歯３１が形成されている。外周面には、紐結束部３３と、その周方向にガイド溝３５を形成する紐ガイド部３４とが設けられている。また、前記歯３１が形成された面の反対側の面においては、紐結束部３３と紐ガイド部３４との間にばね引掛部３６が設けられている。
【００１０】
軸受部４０は、図５に示すように上方に従動部２０の軸２３を軸支する貫通孔４１が設けられた板状のもので、前面にばね引掛部４２が設けられている。この軸受部４０は上部筐体１１及び下部筐体１２にそれぞれ取り付けられた軸受係止部１３，１４によって係止されている。ばね５０は、従動部２０の軸２３が貫通しており（図１参照）、一端が原動側リング部３０のばね引掛部３６に、他端が軸受部４０のばね引掛部４２に弾性を有して係止されている。
【００１１】
軸受部６０は、図６に示すように円筒部６１と、その円筒部６１の孔と同一中心上に貫通孔６４が設けられた板状の支持部６３とからなっており、円筒部６１の一端面には従動部２０のフランジ２２に設けられたくさび状の歯２６に嵌合する４個のくさび状の歯６２が形成されており、このくさび状の歯６２により従動部２０の逆回転を阻止する。支持部６３は上部筐体１１及び下部筐体１２にそれぞれ取り付けられた軸受係止部１５，１６によって係止されている。
【００１２】
スイッチ切換部７０は、タンブラスイッチ９０とほぼ同じ形状に形成された押圧部７１と、押圧部７１の背面中央部に取り付けられた円柱状の支持部７２と、下部筐体１２から突出して形成され、支持部７２を回動可能に保持する把持部７３とでなり、従動部２０の各フランジ２１，２２のカム２７，２８により、押圧部７１が支持部７２を支点としてシーソ状に動作し、タンブラスイッチ９０をオン／オフする。
【００１３】
ここで、前記のように構成されたスイッチ操作器の各部品の初期状態（紐が引かれる前の静止状態）の位置関係を説明する。
従動部２０の一方のフランジ２２に設けられた各歯２６の段部と、軸受部６０の円筒部６１の先端部に設けられた各歯６２の段部とは、図１においてはばね５０の左側方向への弾性により互いに当接している。原動側リング部３０の紐結束部３３と、上部筐体１１のストッパ１７とは、紐８０を引く方向と逆方向のばね５０の弾性により当接している。この時、従動部２０の他方のフランジ２１に設けられた各歯２５の段部と、原動側リング部３０に設けられた各歯３１の段部との間には、ほぼ１０度の回転角度の差があり、フランジ２１側の各歯２５がそれぞれ形成する斜面の少し上がった位置に原動側リング部３０側の各歯３１の段部が位置している。
【００１４】
次に、本実施形態に係るスイッチ操作器の動作を説明する。
上部筐体１１の貫通孔１８を通って下方に垂れている紐８０を手で引くと、原動側リング部３０が、図２に示す矢印方向にばね５０の回転方向の弾性に抗して回転し（図１においては上部筐体１１の両側に示す矢印方向に回転）、回転角度１１０度の位置で停止する。これは、原動側リング部３０に設けられた紐ガイド部３４の端部が上部筐体１１のストッパ１７に当たるためであり、原動側リング部３０がその方向に回転するときは、４個のくさび状の歯３１が、従動部２０のフランジ２１側の各歯２５の傾斜面をそれぞれ下るようにスライドして、回転角度１０度の位置でその各歯２５の段部にそれぞれ当接し、この位置から以降、従動部２０そのものに同一方向の回転を与える。この時、ばね５０の回転方向の弾性は徐々に増していく。
【００１５】
一方、従動部２０が回転するときは、フランジ２２側に設けられた４個のくさび状の歯２６が軸受部６０側の各歯６２の傾斜面をそれぞれ上がるようにスライドするので、原動側リング部３０と共に右側にスライドしてばね５０を押圧する。そして、従動部２０の回転角度が９０度（原動側リング部３０の回転角度は１００度）を越えたとき、フランジ２２側の各歯２６が軸受部６０側の各歯６２の最高位をそれぞれ越えるため、ばね５０の反発力によりフランジ２２側の新たな各歯２６が軸受部６０側の各歯６２にそれぞれ嵌合し、原動側リング部３０と共に左側にスライドして元の位置に戻る。そして、これ以降の回転（残り１０度）により、再び、フランジ２２側の各歯２６と軸受部６０側の各歯６２により右側にスライドする。この時、従動部２０の両フランジ２１，２２も同一方向に回転しており、何れか一方のフランジのカム、例えばフランジ２１のカム２７がスイッチ切換部７０の押圧部７１を支持部７２を支点として動作させ、タンブラスイッチ９０を押圧（オン又はオフ）する。
【００１６】
前述したようにストッパ１７により原動側リング部３０の回転が停止した位置で紐８０から手を放すと、ばね５０の回転方向の弾性によって原動側リング部３０は紐結束部３３がストッパ１７に当接するまで逆方向に１１０度回転する。この時、従動部２０は、原動側リング部３０の各歯３１とフランジ２１側の各歯２５の傾斜面同志の接触による抵抗力により、原動側リング部３０と共に逆方向に回転するが、逆回転角度１０度の位置でフランジ２２側の各歯２６が軸受部６０側の各歯６２の段部にそれぞれ当接するので停止する。これ以降、原動側リング部３０の各歯３１がフランジ２１側の各歯２５の傾斜面をそれぞれ上がるようにスライドするが、原動側リング部３０の逆回転角度が１００度を越えたとき、その原動側リング部３０の各歯３１がフランジ２１側の各歯２５の最高位を越えるので、ばね５０の左方向への反発力により原動側リング部３０の新たな各歯３１がフランジ２１側の各歯２５にそれぞれ嵌合し、さらに、ばね５０の回転方向の弾性によって原動側リング部３０の各歯３１がフランジ２１側の各歯２５の傾斜面を僅かながら上がるようにスライドした位置で停止する。
【００１７】
ここで、再び紐８０を引いて放すと、従動部２０のフランジ２２側のカム２８がスイッチ切換部７０の押圧部７１を動作さてタンブラスイッチ９０を切り換えると共に、ばね５０の回転方向の弾性によって従動部２０が前述の１０度だけ逆回転して停止し、かつ、原動側リング部３０が元の位置まで逆回転（１１０度）して停止する。さらに、紐８０を引いたときは、従動部２０のフランジ２１側のカム２７がスイッチ切換部７０の押圧部７１を動作させてタンブラスイッチ９０を切り換える。
【００１８】
以上のように本実施形態においては、紐８０を引いたとき、原動側リング部３０がその方向に回転すると共に、従動部２０に回転を与えて両フランジ２１，２２に設けたカム２７，２８のうち何れか一方でスイッチ切換部７０の押圧部７１を動作さてタンブラスイッチ９０を切り換え、紐９０を放したときは、軸受部６０側に設けたくさび状の歯６２により従動部２０の逆回転を規制して、原動側リング部３０のみを元の位置まで逆回転させるようにしたので、１本の紐８０で同じ動作を繰り返すことが可能になり、しかも、紐８０を引く度に従動部２０の両フランジ２１，２２のカム２７，２８で押圧部７１を交互に動作させてタンブラスイッチ９０を切り換ることができるので、幼児でも容易にスイッチ操作が可能になるという効果がある。
【００１９】
また、紐８０を引く時の遊び１０度、紐８０を放した時の遊び１０度を従動部２０と原動側リング部３０とにそれぞれ設けているので、各部品の相互のばらつきや、動作時にばらつきがあっても吸収できるという効果がある。
【００２０】
なお、前記の実施形態では、スイッチ切換部７０の押圧部７１を介してタンブラスイッチ９０を切り換えるようにしたが、従動部２０の両フランジ２１，２２に設けたカム２７，２８でタンブラスイッチ９０を切り換えるようにしてもよい。このように構成した場合、スイッチ切換部７０が不要になって構成が簡単になるので、故障が少なくなり、安価なスイッチ操作器１０を提供できるという効果がある。
【００２１】
【発明の効果】
以上のように本発明の請求項１の発明によれば、紐を引いたとき、原動側リング部がその方向に回転すると共に、従動部に回転を与えて両フランジに設けたカムのうち何れか一方でスイッチ切換部を動作さてタンブラスイッチを切り換え、紐が放されたときは、第２軸受部側に設けたくさび状の歯により従動部の逆回転を規制して、原動側リング部のみを元の位置まで逆回転させるようにしたので、１本の紐で同じ動作を繰り返すことが可能になり、しかも、紐を引く度に従動部の両フランジのカムでスイッチ切換部を交互に動作させてタンブラスイッチを切り換ることができるので、幼児でも容易にスイッチ操作が可能になるという効果がある。
【００２２】
本発明の請求項２の発明によれば、スイッチ切換部を用いることなく両フランジにそれぞれ設けられたカムで直接にタンブラスイッチを交互に切り換えるようにしたので、スイッチ操作器の構成が簡単で故障が少なくなり、安価なスイッチ操作器を提供できるという効果がある。
【図面の簡単な説明】
【図１】本発明の実施形態に係るスイッチ操作器の下面の筐体のみを切断して示す内部構成図である。
【図２】図１に示すスイッチ操作器のＡ−Ａ断面図である。
【図３】従動部の詳細図である。
【図４】原動側リング部の詳細図である。
【図５】軸受部の詳細図である。
【図６】軸受部の詳細図である。
【符号の説明】
１０  スイッチ操作器、１１  上部筐体、１２  下部筐体、２０  従動部、
２１，２２  フランジ、２５，２６  くさび状の歯、３０  原動側リング部、
３１  くさび状の歯、３３  紐結束部、３４  紐ガイド部、４０  軸受部、
５０  ばね、６０  軸受部、６１  円筒部、６２  くさび状の歯、６３  支持部、７０  スイッチ切換部、７１  押圧部、７２  支持部、７３  把持部。
【図１】
0004042009.tif 000002
【図２】
0004042009.tif 000003
【図３】
0004042009.tif 000004
【図４】
0004042009.tif 000005
【図５】
0004042009.tif 000006
【図６】
0004042009.tif 000007